(57)【要約】【課題】  従来の構成は、千鳥葺き用平板瓦のアンダーラップ頭側内端部に頭側係止片を設け、尻側端に尻側係止突起を設け、相互の係合で防災効果を図っている。しかし、頭側係止片が裏面から突き出た構成では、軒先施工時に、瓦座等に乗り上げ安定した葺き設を妨げること、搬送時に、欠損の虞があること等の弊害が考えられる。【構成】  本発明の構成は、尻側端に設けた二方向の傾斜内面と天井裏面とで形成した差し込み用空間部に、アンダーラップ頭側内端部に形成した頭側係止片を挿入係止し、転位、浮き上がりを防止する。また頭側係止片の裏面を瓦本体裏面と同一面とし、軒先施工時に、瓦座等への乗り上げを解消し、アンダーラップ裏頭側の葺き合せ凹部には尻側係止突起を収容し、上段瓦の突き上げを回避する。【選択図】      図１
2006233650.tif 000002
【特許請求の範囲】
【請求項１】
表面フラット又は表面に膨出部等を形成した瓦本体の一方側端にアンダーラップを、他方側端にオーバーラップをそれぞれ有する千鳥葺き用の平板瓦であって、
このアンダーラップの頭側内端部に頭側係止片を設け、この頭側係止片の裏面は前記平板瓦の裏面と略同じ面に位置した構成とし、
また前記瓦本体尻側に二方向の傾斜面を備えた台形状の尻側係止突起と、この尻側係止突起の内方に尻側及びオーバーラップ側をくり抜いて形成した差し込み用の空間部とを設け、この空間部と傾斜面の内面で前記頭側係止片を受け入れ係止する構成とし、
前記瓦本体の裏面のオーバーラップ頭寄りに葺き合せ凹部を形成し、葺き設時に、この葺き合せ凹部に前記尻側係止突起を収容する構成とし、
さらに前記空間部の下方に尻側凹部を形成し、積層時に、この尻側凹部に、他の平板瓦の尻側係止突起を受け入れ可能にする構成とした千鳥葺き用の耐震、耐風雨瓦。
【請求項２】
請求項１に記載の頭側係止片は、軒先施工時に、下地基材に乗り上げ回避可能な裏面に形成する構成とした千鳥葺き用の耐震、耐風雨瓦。
【請求項３】
請求項１に記載の空間部と尻側凹部の中間部に差渡し部を形成し、積層時に、この差渡し部の下方の尻側凹部に請求項１に記載の尻側係止突起を受け入れ可能にする構成とした千鳥葺き用の耐震、耐風雨瓦。
【発明の詳細な説明】
【技術分野】
【０００１】
本発明は、千鳥葺き用の耐震、耐風雨瓦に関する。
【背景技術】
【０００２】
従来、アンダーラップとオーバーラップをそれぞれ有する千鳥葺き用の平板瓦であって、そのアンダーラップの頭側内方に頭側係止片を設け、この頭側係止片に係り合う（係合する）尻側係止突起をこの瓦本体の尻側に設けた千鳥葺き用の耐震、耐風雨瓦に関しては次に列挙する文献がある。
【０００３】
文献（１）は、特許第３３８０２３５号の「千鳥葺き用の耐震、耐風雨瓦」であり、この発明は、瓦本体にアンダーラップ、オーバーラップと、重ね合わせ凹部とをそれぞれ有する千鳥葺き用の平板瓦であって、アンダーラップの頭側内端部に頭側係止片を設け、瓦本体の尻側に頭側係止片に係り合う尻側挿入凹部と、この瓦本体の尻側膨出帯表面に突出した尻側係止突起を設け、この頭側係止片を尻側挿入凹部及び尻側係止突起で係合する構成である。従って、この発明は、前記係合を介して台風時の捲れ上がり、飛散等の抑止、又は地震時の転位、滑落等の防止等を達成することを意図する。しかし、この発明は、アンダーラップに形成された頭側係止片が瓦本体の裏面より突出する構成を採用していることから、製造時、搬送時等において、この頭側係止片が損傷する虞があること、また軒先施工時において、この頭側係止片の裏面突出部が瓦座等の下地材と干渉し適正な葺き設を妨げる等の弊害が考えられる。
【０００４】
文献（２）は、特開平８−１５８５４２の「耐風係合平形瓦」であり、この発明は、差込み受け部（アンダーラップとする）、被覆部（オーバーラップとする）をそれぞれ有する千鳥葺き用の平形瓦（平板瓦とする）であって、そのアンダーラップの頭寄り先端に係止受け部を設け、尻側に係止突起を設け、葺き合せ時に上段瓦の係止受け部が下段瓦の係止突起に当接係止され、上段瓦の転位、浮き上がりを防止する等を意図したと考えられる。しかし、この係止受け部の裏面は平板瓦の裏面より一段低く突き出ていることから、軒先に葺き設する場合に瓦座等の下地材に乗り上げる不都合が生ずること、また係止突起も尻側端より外方に突出する構成であって、製造に難渋し、搬送時に欠損する虞があること等の弊害が考えられる。
【０００５】
また文献（３）は、特開平８−９３１４１の「係止耐風厚平形瓦」であり、この発明は、尻側端に設けた尻切り欠き部と尻係合覆い部を、アンダーラップの頭寄りに設けた差し込み係合受け部に係合し、転位、浮上を抑止する構成であり、その概要は、前述の文献（２）に準ずる。
【０００６】
そして文献（４）は、特許第３５６０８４４号の「防災瓦」であり、この発明は、瓦本体の尻側水返し上面に差し込み空間を有する係合凸部を立設し、差し込み部（アンダーラップ）の側端部に帯板状の係合差し込み部を設け、この係合凸部の差し込み空間に係合差し込み部が係合する構成であって、強風によるズレと浮き上がりの防止を意図している。しかし、この発明は、係合凸部が水返し上面に突出し差し込み空間が流れ方向に開放形状を呈し、基部の強度に不安が残り運搬、施工時に欠損の虞がある。また貫通する差し込み空間を有する係合凸部の成形には専用装置が不可欠となり、所定精度の維持、歩留まりの確保に苦労する課題が残る。
【０００７】
尚、文献（５）は、特開２００３−３２０５１３の「瓦の成形方法」であり、この発明は、尻側端に突設した鈎形突起物（尻側係止突起）の凹部にオーバーラップ裏面頭側内方に設けた係合溝を係止する構成である。この発明は、押圧ピストン部材を採用しており、突起物部位の瓦素地密度の粗密差をなくし、乾燥焼成時の歪み・亀裂を抑制して、高い強度の突起物部位を有する瓦の成形を意図している。しかし、この鈎形突起物の凹部は、流れ方向に貫通しており欠損しやすい課題を抱えている。また押圧ピストン部材の駆動を外付けの流体圧シリンダーに依存する構造であることから、装置の複雑化を招き周到な維持管理が必須となる。
【０００８】
【特許文献１】特許第３３８０２３５号
【特許文献２】特開平８−１５８５４２
【特許文献３】特開平８−９３１４１
【特許文献４】特許第３５６０８４４号
【特許文献５】特開２００３−３２０５１３
【発明の開示】
【発明が解決しようとする課題】
【０００９】
前記文献１〜文献４の発明を総括すると、アンダーラップ側端の頭側係止片、差込み係合受け部、係止受け部、及び尻側端部の係合凸部は、平板瓦（耐震、耐風雨瓦、平形瓦、防災瓦）の裏面又は表面から突出し形成されており、製造上の困難性と、搬送時等における損傷、欠落の虞がある。
【００１０】
そして文献１〜文献３の発明では、軒先の葺き設時に、頭側係止部（頭側係止片、差込み係合受け部、係止受け部）の裏面突出部分が、瓦座等の下地材に乗り上げて安定した施工を妨げること等の弊害が考えられる。
【００１１】
また文献１〜文献４の発明では、尻側端部に設けた尻側突起部（尻側係止突起、尻係合覆部、係止突起、係合凸部）の上端面が、葺き合せ時に、上段瓦の裏面を突き上げる課題が残る。即ち、尻側突起部と頭側係止部との確実な係合を達成するには、頭側係止部を余裕をもって収容する尻側突起部のフトコロ高さを確保する必要があり、尻側突起部の立ち上がり（瓦本体の表面より突出する高さ）が前述の上段瓦の裏面に衝突する要因になる。
【００１２】
また文献５の瓦は、頭側のオーバーラップ裏内方の段部に形成する係合溝（ポケット）は、尻側鈎形突起物の凹部を安定姿勢で填め込むために、高精度の平衡度が要求されること、又はその成形手段となる外付けの専用装置に付帯する煩雑な対応策が必要となり改良の余地がある。
さらにこの文献５の瓦は、尻側の鈎形突起物凹部を形成する下型の裏側外部から操作する押圧ピストン部材を別途に（金型全体では、三方向にピストン部材が）必要となり、設置、運用に伴うスペース、費用、技術等の対処が相当な負担になる問題点がある。
【課題を解決するための手段】
【００１３】
請求項１の発明は、頭側係止片が瓦本体裏面より突出しない構成として、軒先の施工時に屋根地に設置した瓦座、広小舞等の下地材への乗り上げをなくし、適正な瓦勾配を確保し安定した葺き設を図ること、又はこの頭側係止片の損傷、欠落等の弊害を回避すること等を意図する。
【００１４】
また尻側係止突起を二方向（アンダーラップ方向と頭側方向）の傾斜面及び天井面とで形成する台形状の構成とし、この尻側係止突起の内方にあって尻側及びオーバーラップ側をくり抜いて形成した差し込み用の空間部に、上段瓦の頭側係止片を挿入係止して、瓦本体のニ方向への転位と、浮き上がり等の防止を図ること、また瓦本体の浮き上がりに対し、この尻側係止突起にかかる抵抗（荷重）を傾斜面を利用して軽減すること等を意図する。さらにこの二方向の傾斜面の構成によって、尻側係止突起の耐衝撃性を強化すること等も意図する。
【００１５】
そして、オーバーラップ裏の頭寄りに葺き合せ凹部を形成し、千鳥葺きした際に下段瓦の尻側係止突起を収容する構成として、尻側係止突起による上段瓦のオーバーラップ裏の突き上げを回避し、前記尻側係止突起の内方に形成した空間部と頭側係止片との効果的な係止を確保すること等を意図する。
【００１６】
さらに、前記空間部の下方に尻側凹部を形成し、この平板瓦を積み重ねた場合にこの尻側凹部に、下層の瓦の尻側係止突起を受け入れ可能な構成として、尻側係止突起の破損防止を図ること、結束、運搬等の効率化等の便を図ること等を意図する。
【００１７】
請求項１は、表面フラット又は表面に膨出部等を形成した瓦本体の一方側端にアンダーラップを、他方側端にオーバーラップをそれぞれ有する千鳥葺き用の平板瓦であって、
このアンダーラップの頭側内端部に頭側係止片を設け、この頭側係止片の裏面は前記平板瓦の裏面と略同じ面に位置する構成とし、
また前記瓦本体尻側に二方向の傾斜面を備えた台形状の尻側係止突起と、この尻側係止突起の内方に尻側及びオーバーラップ側をくり抜いて形成した差し込み用の空間部とを設け、この空間部と傾斜面の内面で前記頭側係止片を受け入れ係止する構成とし、
前記瓦本体の裏面のオーバーラップ頭寄りに葺き合せ凹部を形成し、葺き設時に、この葺き合せ凹部に下段瓦の尻側係止突起を収容する構成とし、
さらに前記空間部の下方に重なり凹部を連設し、積層時に、この重なり凹部に、他の平板瓦の尻側係止突起を受け入れ可能にする構成とした千鳥葺き用の耐震、耐風雨瓦である。
【００１８】
請求項２の発明は、請求項１の目的を達成し、この目的を達成するのに最適な頭側係止片を提供することを意図する。
【００１９】
請求項２は、請求項１に記載の頭側係止片を、軒先施工時に下地基材に乗り上げ回避可能な裏面に形成する（瓦座等の下地基材に安定した姿勢で載置し、適正な瓦勾配を確保する）構成とした千鳥葺き用の耐震、耐風雨瓦である。
【００２０】
請求項３の発明は、請求項１の目的を達成し、この目的を達成するのに最適な差渡し部を提供することを意図する。
【００２１】
請求項３は、請求項１に記載の空間部と尻側凹部との中間部に差渡し部を形成し、積層時に、この差渡し部の下方の尻側凹部に請求項１に記載の尻側係止突起を受け入れ可能にする構成とした千鳥葺き用の耐震、耐風雨瓦である。
【発明の効果】
【００２２】
請求項１の発明は、表面フラット又は表面に膨出部等を形成した瓦本体の一方側端にアンダーラップを、他方側端にオーバーラップをそれぞれ有する千鳥葺き用の平板瓦であって、
このアンダーラップの頭側内端部に頭側係止片を設け、この頭側係止片の裏面は前記平板瓦の裏面と略同じ面に位置した構成とし、
また前記瓦本体尻側に二方向の傾斜面を備えた台形状の尻側係止突起と、この尻側係止突起の内方に尻側及びオーバーラップ側をくり抜いて形成した差し込み用の空間部とを設け、この空間部と傾斜面の内面で前記頭側係止片を受け入れ係止する構成とし、
前記瓦本体の裏面のオーバーラップ頭寄りに葺き合せ凹部を形成し、この平板瓦を千鳥葺きした場合に、この葺き合せ凹部に前記尻側係止突起を収容する構成とし、
さらに前記空間部の下方に尻側凹部を形成し、この平板瓦を積み重ねた場合に、この尻側凹部に、他の平板瓦の尻側係止突起を受け入れ可能にする構成とした千鳥葺き用の耐震、耐風雨瓦である。
【００２３】
従って、請求項１は、頭側係止片が瓦本体裏面より突出しない構成として、軒先の施工時に屋根地に設置した瓦座、広小舞等の下地材への乗り上げをなくし、適正な瓦勾配を確保し安定した葺設が図れること、またこの頭側係止片の損傷、欠落等の弊害を回避できること等の特徴を有する。
【００２４】
また請求項１は、頭側係止片を、二方向の傾斜面と天井面とを備えた台形状の尻側係止突起で構成した差し込み用の空間部に挿入し、瓦本体の尻側端部表面と、前記台形状の尻側係止突起の二方向と天井面とで係止することによって、瓦本体の前記二方向への転位と、浮き上がり防止が図られること等の特徴を有する。また瓦本体の浮き上がりに対し、この尻側係止突起にかかる抵抗（荷重）を傾斜面を利用して軽減できること等の実益がある。さらにこの二方向の傾斜面は、尻側係止突起の耐衝撃性を強化できること等の効果がある。
【００２５】
そして請求項１は、千鳥葺きした際に下段瓦の尻側係止突起を収容する葺き合せ凹部を、オーバーラップ裏頭寄りに形成し、上段瓦との衝突回避が図られ、前記頭側係止片と尻側係止突起並びに差し込み用の空間部との効果的な係止が確保できること等の効果がある。
【００２６】
さらに請求項１は、前記空間部の下方に尻側凹部を形成し、この平板瓦を積み重ねた場合に、この尻側凹部に、下層の瓦の頭側係止片を受け入れ可能とすること等の特徴を有する。
【００２７】
請求項２の発明は、請求項１に記載の頭側係止片を、軒先施工時に、下地基材に乗り上げ回避可能な裏面に形成する構成とした千鳥葺き用の耐震、耐風雨瓦である。
【００２８】
従って請求項２は、請求項１の目的を達成できること、この目的を達成するのに最適な頭側係止片を提供できること等の特徴を有する。
【００２９】
請求項３の発明は、請求項１に記載の空間部と尻側凹部との中間部に差渡し部を形成し、この平板瓦を積み重ねた場合に、この差渡し部の下方に請求項１に記載の尻側係止突起を受け入れ可能にする構成とした千鳥葺き用の耐震、耐風雨瓦である。
【００３０】
従って請求項３は、請求項１の目的を達成できること、この目的を達成するのに最適な差渡し部を提供できること等の実益がある。
【発明を実施するための最良の形態】
【００３１】
本発明の実施例を図面により説明する。
【００３２】
図１は本発明の第一の実施例を示す平面図、図２は図１の例の裏面図、図３は図１の例の尻側係止突起を示す斜視図、図４は図１の例の頭側係止片を示す斜視図、図５は図１の例の尻側係止突起と頭側係止片との係止状態を示す斜視図、図６は図５の要部の裏面斜視図、図７は図１の例の葺き設時における要部を示す断面模式図、図８は図１の例の葺き設平面模式図、図９は図１の例の尻側端部における積層状態を示す要部の断面図、図１０は図１の例の尻側係止突起を成形する金型の要部を示す尻側面視模式図、図１１は図１の例の尻側係止突起を成形する金型の要部を示す断面視模式図、図１２は第２に実施例を示す平面図、図１３は図１２の例の裏面図、図１４は図１２の例の尻側係止突起を成形する金型の要部を示す尻側面視模式図、図１５は図１２の例の尻側係止突起を成形する金型の要部を示す断面視模式図、図１６は本発明の第三の実施例の尻側係止突起を示す斜視図、図１７は図１６の例の尻側係止突起と頭側係止片との係止状態を示す斜視図、図１８は図１７の要部の裏面斜視図、図１９は図１６の例の葺き設時における要部を示す断面模式図、図２０は図１６の例の尻側端部における積層状態を示す要部の断面図である。
【００３３】
図１〜図９に示した第一の実施例を説明すると、１は方形状の瓦本体で、この瓦本体１の表面１ａには、その一方及び／又は他方側に膨出部１００、１０１を形成するとともに、その一方側にアンダーラップ２を形成し、他方側にオーバーラップ３を形成する。このアンダーラップ２の頭側２−１は瓦本体１の頭側１−１より短尺に形成するとともに、この頭側１−１を絞り込み、この絞り込み部２０１の基部（頭側内端部）には頭側係止片４を設ける。この例では図７に示す如く、この頭側係止片４の裏面４ｂを、瓦本体１の裏面１ｂ及び前記アンダーラップ２の裏面２ｂと同一面に構成する。この頭側係止片４が裏面４ｂより突出しない構成は、図８に示す如く軒先に施工した場合に、下地基材（瓦座Ａ等）に乗り上げることを回避し、瓦本体１の適正な瓦勾配を確保し、安定した葺き設が図られる実益をもたらすこと、また製造装置の簡素化、搬送時の欠損回避等にも有効である。前記アンダーラップ２の側端部２−２には水返し突条２００を、表面１ａの尻側１−２には水返し突条５を形成する。尚、図中６は釘孔を、７は引っ掛けを、またＢは瓦桟を示す。
【００３４】
そして、この例では、瓦本体１の表面１ａの尻側１−２には二方向の斜面８００、８００と天井面８０１を備えた台形状の尻側係止突起８を突設する。この台形状の尻側係止突起８の内方には尻側１−２及びオーバーラップ側１ｃをくり抜いて形成した差し込み用の空間部９を形成する。
【００３５】
この差し込み用の空間部９は、尻側係止突起８の天井面８０１の裏面となる天井裏面８０１ａ及び傾斜面８００、８００の内側となる傾斜内面８００ａ、８００ａで構成され、瓦本体１裏面１ｂに達するドーム形状を呈し、上段に葺き合される瓦の頭側係止片（図示せず）を受け入れ係合及び／又は係止可能な構成とする。この場合、差し込み用の空間部９を構成する二方向の傾斜内面８００ａ、８００ａ及び天井裏面８０１ａは、前記頭側係止片４を受け入れ係合及び／又は係止するに際し、前記二方向の転位と浮き上がりを抑止し耐震、耐風雨機能を発揮すること等の実益をもたらす実益がある。またこの浮き上がり作用に対し、尻側係止突起にかかる抵抗（荷重）を、傾斜面を利用して軽減できること等の効果も期待できる。また前記傾斜面８００、８００の構成は、尻側係止突起８の成形性の改善、強度の向上等にも有益である。
【００３６】
さらに、この空間部９の下方（裏面１ｂ）側を切り欠いて尻側凹部９００を形成する。この尻側凹部９００は、積層時に、他の瓦の尻側係止突起８を収容する構成として、結束の安定化、損傷の防止等の効果を発揮できる。尚、この尻側凹部９００の内面の三方向は前記尻側係止突起８の周辺部の形状と相似形を呈する。
【００３７】
尚、この例では、尻側１−２の内方に防水堤１１を形成し雨水の遡上を阻み、前記空間部９の周辺から裏面１ｂへの雨水の回り込みを防止する等の役割を果たし得る利点がある。
【００３８】
また図中１２は、瓦本体１裏面１ｂのオーバーラップ３頭側２−１をえぐるなどして形成した葺き合せ凹部で、この葺き合せ凹部１２には千鳥に葺き合わせた下段瓦の尻側係止突起８を収容する。この構成を採用することで、上段瓦の突き上げを回避して、尻側係止突起８の有効高さが確保され、頭側係止片４と尻側係止突起８との係合及び／又は係止の安定化に寄与し得ること、また防災機能の向上に貢献できること等の実益がある。
【００３９】
次に、この第一の実施例における成形方法を、図１０に示した尻側係止突起を成形する金型の要部を示す側面模式図と、図１１に示した尻側係止突起を成形する金型の要部を示す断面模式図に基づいて説明する。この例では、図示した如く、一対の上型Ｄ−１と下型Ｄ−２及びサックＤ−３で構成された金型Ｄによる一工程の押圧で瓦素地Ｅを成形する方法を採用しており、簡便かつ効率的に成形できること、コストの低減に寄与できること等の特徴がある。また前記尻側係止突起８、差し込み用の空間部９及び尻側凹部９００は、上型Ｄ−１と下型Ｄ−２とで構成されるキャビティーＣ内に押圧成形される瓦素地Ｅにて尻側１−２に形成される。  この場合、尻側係止突起８を構成する二方向の斜面８００、８００と天井面８０１は、上型Ｄ−１の下面Ｄ−１ａで成形される。また差し込み用の空間部９及び尻側凹部９００は下型Ｄ−２の上面Ｄ−２ａにて成形される。
【００４０】
ついで、図１２〜図１３で示した第二の実施例を説明する。この例では、瓦本体１の表面１ａを平坦面１０３に形成し、裏面１ｂにリブ１０４を形成する構成であり、他の構成は前述の第一の実施例に準ずる。そして、この例では、頭側係止片４の裏面４ｂを、前記アンダーラップ２の裏面２ｂ、又はリブ１０４の下端面（図示せず）と略同一面にする。尚、図中１４は、内側水返し突条を示し、雨水の遡上を阻み空間部９の周辺から裏面１ｂへの回り込みを防止するのに役立つ利点がある。
【００４１】
さらに、図１４〜図１５にて第二の実施例における成形方法を説明する。原則として、前述の図１０、図１１による第一の実施例における成形方法に準じており詳述は割愛する。そして、図１６〜図２０に示した第三の実施例を説明する。この例では、第一の実施例における空間部９と尻側凹部９００との中程に差渡し部９０１を設ける。そして、この例では、この差渡し部９０１の下方が尻側係止突起８を収容する尻側凹部９００となる。この構成は、押圧成形時において、尻側係止突起８及び／又は空間部９の安定形状の確保、歩留まり向上、さらに尻側係止突起８及び／又は空間部９の耐衝撃性の強化等に寄与できる特徴がある。またこの差渡し部９０１を設ける構成は、図示しないが第二の実施例に応用することも可能である。尚、この差渡し部９０１の成形においては、前述の例にならった金型Ｄによる一体成形、又は場合により他の手段を併用する成形方法を採用することもあり得る。
【図面の簡単な説明】
【００４２】
【図１】図１は本発明の第一の実施例を示す平面図
【図２】図２は図１の例の裏面図
【図３】図３は図１の例の尻側係止突起を示す斜視図
【図４】図４は図１の例の頭側係止片を示す斜視図
【図５】図５は図１の例の尻側係止突起と頭側係止片との係止状態を示す斜視図
【図６】図６は図５の要部の裏面斜視図
【図７】図７は図１の例の葺き設時における要部を示す断面模式図
【図８】図８は図１の例の葺き設平面模式図
【図９】図９は図１の例の尻側端部における積層状態を示す要部の断面図
【図１０】図１０は図１の例の尻側係止突起を成形する金型の要部を示す尻側面視模式図
【図１１】図１１は図１の例の尻側係止突起を成形する金型の要部を示す断面視模式図
【図１２】図１２は第２に実施例を示す平面図
【図１３】図１３は図１２の例の裏面図
【図１４】図１４は図１２の例の尻側係止突起を成形する金型の要部を示す尻側面視模式図
【図１５】図１５は図１２の例の尻側係止突起を成形する金型の要部を示す断面視模式図
【図１６】図１６は本発明の第三の実施例の尻側係止突起を示す斜視図
【図１７】図１７は図１６の例の尻側係止突起と頭側係止片との係止状態を示す斜視図
【図１８】図１８は図１７の要部の裏面斜視図
【図１９】図１９は図１６の例の葺き設時における要部を示す断面模式図
【図２０】図２０は図１６の例の尻側端部における積層状態を示す要部の断面図
【符号の説明】
【００４３】
１              瓦本体
１−１          頭側
１−２          尻側
１ａ            表面
１ｂ            裏面
１ｃ            オーバーラップ側
１００          膨出部
１０１          膨出部
１０３          平坦面
１０４          リブ
２              アンダーラップ
２ｂ            裏面
２−１          頭側
２−２          側端部
２００          水返し突条
２０１          絞り込み部
３              オーバーラップ
４              頭側係止片
４ｂ            裏面
５              水返し突条
６              釘孔
７              引っ掛け
８              尻側係止突起
８００          傾斜面
８００ａ        傾斜内面
８０１          天井面
８０１ａ        天井裏面
９              空間部
９００          尻側凹部
９０１          差渡し部
１０            葺き合せ凹部
１１            防水堤
１４            内側水返し突条
Ａ              瓦座
Ｂ              瓦桟
Ｃ              キャビティー
Ｄ              金型
Ｄ−１          上型
Ｄ−１ａ        下面
Ｄ−２          下型
Ｄ−２ａ        上面
Ｄ−３          サック
Ｅ              瓦素地
【図１】
2006233650.tif 000003
【図２】
2006233650.tif 000004
【図３】
2006233650.tif 000005
【図４】
2006233650.tif 000006
【図５】
2006233650.tif 000007
【図６】
2006233650.tif 000008
【図７】
2006233650.tif 000009
【図８】
2006233650.tif 000010
【図９】
2006233650.tif 000011
【図１０】
2006233650.tif 000012
【図１１】
2006233650.tif 000013
【図１２】
2006233650.tif 000014
【図１３】
2006233650.tif 000015
【図１４】
2006233650.tif 000016
【図１５】
2006233650.tif 000017
【図１６】
2006233650.tif 000018
【図１７】
2006233650.tif 000019
【図１８】
2006233650.tif 000020
【図１９】
2006233650.tif 000021
【図２０】
2006233650.tif 000022